(57)【要約】【課題】ユーザにはそれぞれ、視聴しやすい又は好みの画質が存在するが、視聴の際に毎回個人的に好適な画質へ調整することは、ユーザにとって負担となってしまう。そこで、ユーザに好適な画質に画質調整を実行できる電子機器及び画質調整方法を提供することを課題とする。【解決手段】実施の形態にかかる電子機器は、表示手段と、入力手段と、顔認証手段と、調整手段とを具備する。表示手段は映像を表示する。入力手段は画像情報を入力する。顔認証手段は入力した前記画像情報中の顔を認証する。調整手段は認証された顔に基づいて、表示する映像の画質を調整する。【選択図】図４
2012160918.tif 000002
【特許請求の範囲】
【請求項１】
映像を表示する表示手段と、
画像情報を入力する入力手段と、
入力した前記画像情報中の顔を認証する顔認証手段と、
認証された顔に基づいて、表示する映像の画質を調整する調整手段と、
を具備する電子機器。
【請求項２】
前記調整手段は前記認証された顔、及び表示するコンテンツのジャンルに基づいて、表示する映像の画質を調整する請求項１記載の電子機器。
【請求項３】
前記調整手段は、認証された顔に基づいて出力する音声の音質を調整する請求項１記載の電子機器。
【請求項４】
認証された顔に基づいて、所定の処理の実行を規制する規制手段を更に具備する請求項１記載の電子機器。
【請求項５】
前記規制手段が前記所の処理の実行を規制する場合、当該所定の処理が実行不可能である旨の通知を行う通知手段を更に具備する請求項１記載の電子機器。
【請求項６】
前記入力手段は、前記表示手段に対向する空間を撮影する撮影手段である請求項１記載の電子機器。
【請求項７】
画像情報を入力し、
入力した前記画像情報中の顔を認証し、
認識された顔に基づいて、表示する映像の画質を調整する画質調整方法。
【発明の詳細な説明】
【技術分野】
【０００１】
本発明の実施形態は電子機器および画質調整方法に関する。
【背景技術】
【０００２】
一般的なテレビ等の電子機器は、ユーザが表示する映像の画質の調整を行うことができ、ユーザはそれぞれ個人的な好みの画質や、視聴しやすい画質へ映像を調整することが可能である。しかし家庭等のように複数の人がテレビを共用する場合、それぞれの人の好みや視聴しやすい画質が異なっている可能性がある。
【先行技術文献】
【特許文献】
【０００３】
【特許文献１】特開２００３−２１９２８７号公報
【発明の概要】
【発明が解決しようとする課題】
【０００４】
ユーザにはそれぞれ、視聴しやすい又は好みの画質が存在するが、視聴の際に毎回個人的に好適な画質へ調整することは、ユーザにとって負担となってしまう。
【０００５】
本発明は上記に鑑みたもので、ユーザに好適な画質に画質調整を実行できる電子機器及び画質調整方法を提供することを課題とする。
【課題を解決するための手段】
【０００６】
実施形態にかかる電子機器は、表示手段と、入力手段と、顔認証手段と、調整手段とを具備する。表示手段は映像を表示する。入力手段は画像情報を入力する。顔認証手段は入力した前記画像情報中の顔を認証する。調整手段は認証された顔に基づいて、表示する映像の画質を調整する。
【図面の簡単な説明】
【０００７】
【図１】実施形態におけるＤＴＶの一例を示す概念図。
【図２】実施形態におけるＤＴＶの内部構造の一例を示すブロック図。
【図３】実施形態におけるユーザ設定テーブルの一例を示す概念図。
【図４】実施形態におけるＤＴＶが実行する処理の一例を示すフロー図。
【発明を実施するための形態】
【０００８】
本発明に関する実施の形態の一例を、以下で図面を参照しながら説明する。
【０００９】
図１は本実施形態におけるＤＴＶ１の一例を示す概念図である。
【００１０】
ＤＴＶ１は例えばデジタルテレビ（Digital Television）であって本実施形態における電子機器の一例である。本実施形態では電子機器の一例としてＤＴＶ１を示すが、これに限定されるものではなく、例えばＤＶＤ（Digital Versatile Disc）プレーヤ、ＨＤＤ（Hard Disk Drive）プレーヤ、ＳＴＢ（Set Top Box）、又はＰＣ（Personal Computer）等の様々なものが電子機器の例として考えられる。
【００１１】
ＤＴＶ１はカメラ１６０を有しており、カメラ１６０は撮影手段としてＤＴＶ１正面の像を撮影することができる。
【００１２】
次にＤＴＶ１の内部構造に関して詳細に説明を行う。
【００１３】
図２は本実施形態におけるＤＴＶ１の内部構造の一例を示すブロック図である。
【００１４】
まず、ＤＴＶ１の内部構造に関して説明を行う。
【００１５】
ＤＴＶ１は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ１１７から送信され受光部１１８を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。
【００１６】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。PSK復調器１４６は、ＴＳ（Transport Stream）の復調を行い、復調したＴＳをＴＳ復号器１４７ａに供給し、ＴＳ復号器１４７ａは、TSをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が電子番組表であるＥＰＧ（Electronic Program Guide）を生成するときに使用する情報である番組関連情報等を含む、放送波の放送番組に関する情報に関するデジタル信号である。この番組関連情報には、放送番組のタイトル、この番組の詳細情報、番組開始時刻、番組終了時刻等の情報が含まれている。
【００１７】
入力端子１４９は、地上波デジタル放送受信用のアンテナ１４８が受信した地上波デジタルテレビジョン放送信号を地上波デジタル放送用のチューナ１５０に供給する。チューナ１５０は、受信したデジタル放送信号のチューニングを行い、チューニングしたデジタル放送信号をそれぞれのＯＦＤＭ（Orthogonal Frequency Division Multiplexing）復調器１５１に送信する。ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号及び音声信号等に復号した後、信号処理部１００にこれを出力する。
【００１８】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００１９】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００２０】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２１】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２２】
映像処理部１５５は、グラフィック処理部１５２から出力された信号に対して画質の補正を行った上で、表示部処理部１５５で表示可能なフォーマットのアナログ映像信号に変換する。映像処理部１５５でアナログに変換された映像信号は、表示部１２０に表示される。映像処理部１５５における画質の補正については、図３以降の説明にて詳細に述べる。
【００２３】
表示部１２０はＬＣＤ（Liquid Crystal Display）によって構成されており、液晶によって画像を表示する。バックライト１２１は表示部１２０を後方より照射する。また、バックライト１２１は照射する光の強さまたは照射時間によって、表示する映像の輝度を調整することが可能である。
【００２４】
音声処理部１５３は、入力された音声信号を、スピーカ１１０で再生可能なフォーマットのアナログ音声信号に変換する。アナログに変換された音声信号は、スピーカ１１０に出力されて再生される。
【００２５】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブルが接続されており、インターネット３と通信可能となっている。
【００２６】
カメラ１６０は表示部１２０の上部に設けられており、カメラ１６０正面の画像を撮影することができる。カメラ１６０は撮影した画像を制御部１５６に入力することができる。
【００２７】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２８】
ＨＤＤ１７０はＤＴＶ１に内蔵される磁気記憶媒体であってＤＴＶ１が有する各種情報を記憶する機能を有している。また、ＨＤＤ１７０はユーザ設定テーブルを記憶している。ユーザ設定テーブルとは、ユーザと、そのユーザに対する各種設定が記述されたテーブルである。
【００２９】
図３は、本実施形態におけるユーザ設定テーブル３１の一例を示す概念図である。
【００３０】
ユーザ設定テーブル３１は各ユーザと、このユーザに関する各種情報とが対応づけられているテーブルである。本実施形態ではユーザと、所定操作規制情報と画質・音質設定情報とが対応付けられている。
【００３１】
所定操作規制情報とはＤＴＶ１が所定の操作を受け付けるか否かに関する情報である。ここでの所定の操作としては、例えばＶＯＤ（Video On Demand）等による有料コンテンツ／視聴規制のされているコンテンツの視聴操作、有料サイト／視聴規制のされているサイトへのサクセス操作等が挙げられる。所定操作規制情報が×となっている場合には、制御部１５６はユーザに対して、これらのコンテンツの視聴操作、サイトへのアクセスを不可とする。
【００３２】
画質・音質設定情報とは、画質・音質に関する情報であって、これらの情報は更にコンテンツのジャンルに対応して記憶されている。コンテンツのジャンルには「通常」、「映画」、「スポーツ」等があり、画質・音質設定情報ではそれぞれジャンルに関してユーザの視聴しやすい／好みの画質・音質のパラメータが記憶されている。パラメータを記憶される画質の項目としては、ＷＢ（White Balance）、ガンマ補正、シャープネス、高解像度処理、輝度、黒レベル、色相、彩度等がある。
【００３３】
ユーザ設定テーブル３１にはこれらの情報とそれぞれのユーザとが対応づけられて記述されている。
【００３４】
本実施形態におけるＤＴＶ１はカメラ１６０によって撮影されたユーザの顔について顔認証を行い、現在ＤＴＶ１を視聴しているユーザを判別することができる。そして、ＤＴＶ１は、視聴しているユーザを判別すると、ユーザ設定テーブル３１を参照し、所定コンテンツ視聴／サイト視聴の制限や、画質・音質の調整を実行する。
【００３５】
本実施形態においてＤＴＶ１が実行する処理を以下にて説明する。
【００３６】
図４は本実施形態におけるＤＴＶ１が実行する処理の一例を示すフロー図である。
【００３７】
まず、ＤＴＶ１は視聴しているユーザの顔認証を実行する（ステップＳ４１）。ここではまずカメラ１６０によってＤＴＶ１正面の像を撮影し、制御部１５６が撮影された画像の中にユーザが存在するか否かの判別を行う。ユーザが存在するとき、制御部１５６はこの画像の中の、ユーザの顔と認識されている部分から、例えば眼、鼻、口、輪郭等の顔についての特徴量を抽出し、ＤＴＶ１に登録されているユーザの顔の特徴量と一致するかの判別を行う。つまり、顔認証手段としてカメラ１６０が撮影した人物が登録されたユーザであるか否かの判別を行う（ステップＳ４２）。なお、ここでの顔認証技術については一般的に知られている顔認証技術を利用すればよい。
【００３８】
ステップＳ４２においてカメラ１６０に映っている人物が登録されたユーザでないとき（ステップＳ４２：Ｎｏ）、制御部１５６は新規ユーザを登録するか否かの判別を行う（ステップＳ４３）。ここでの新規ユーザを登録するか否かの判別としては、視聴しているユーザに対して、例えばＯＳＤ等によって登録するか否かを選択させ、この選択に基づくものとする。
【００３９】
ステップＳ４３において新規ユーザを登録する場合（ステップＳ４３：Ｙｅｓ）、制御部１５６はＨＤＤ１７０に記憶されているユーザ設定テーブル３１にユーザの項目を追加する。また、ユーザと当該ユーザの顔の特徴量とが対応付けられている顔認識テーブル（図示しない）にユーザと顔の特徴量とを対応付けて登録する。ユーザ設定テーブル３１へのユーザの新規登録時、制御部１５６はまず、所定操作規制の設定を行う（ステップＳ４４）。このとき、ＤＴＶ１はＯＳＤによって、前述の所定操作の実行可否を選択させる画面を表示し、ユーザに選択させる。
【００４０】
次に、制御部１５６はジャンル毎での画質・音質の設定を行う（ステップＳ４５）。ＤＴＶ１は例えばＯＳＤ等を用いてジャンル毎の画質・音質をユーザに設定させ、設定された画質・音質をユーザ設定テーブル３１に追加したユーザと対応づけて記述する。このステップＳ４５、ステップＳ４８の処理によって、ユーザ設定テーブル３１へのユーザの登録が完了する。
【００４１】
ステップＳ４２においてカメラ１６０に映っている人物が登録されたユーザであるとき（ステップＳ４２：Ｙｅｓ）、制御部１５６はカメラ１６０に映っている登録ユーザが複数であるか否かを判別する（ステップＳ４６）。
【００４２】
ステップＳ４６において、カメラ１６０に映っている登録ユーザが複数である場合（ステップＳ４６：Ｙｅｓ）、制御部１５６は例えばＯＳＤによって、登録ユーザを選択させる画面をユーザに提供して、ユーザに対して登録ユーザの選択を行わせる（ステップＳ４７）。
【００４３】
ステップＳ４６において、カメラ１６０に映っている登録ユーザが単数である場合（ステップＳ４６：Ｙｅｓ）、ステップＳ４７における登録ユーザの選択後、または、ステップＳ４５における登録処理の実行後、ＤＴＶ１はユーザ設定テーブル３１を参照し、視聴している（顔認証された）ユーザ、及び表示しているコンテンツのジャンルに対応した画質・音質で映像・音声を出力する（ステップＳ４８）。ここで表示しているコンテンツのジャンル情報は、例えば表示しているコンテンツが放送波によって提供されたコンテンツであれば番組関連情報より得ることができる。制御部１５６はコンテンツのジャンル情報を取得すると、ユーザ設定テーブル３１を参照し、ユーザ及びコンテンツのジャンルに応じた画質・音質のパラメータを取得する。制御部１５６はこのパラメータに基づいて、映像処理部１５５及び音声処理部１５３に対して調整手段として画質・音質の調整処理を実行し、表示部１２０及びスピーカ１１０から調整された映像・音声が出力される。
【００４４】
また本実施形態において、ユーザが視聴中に画質・音質の調整を実行した場合には自動的にユーザ設定テーブル３１が調整後の画質・音質に適合するようにデータ更新が行われる。このとき、制御部１５６はユーザ入力による画質・音質の調整が行われると、調整後の値にユーザ設定テーブル３１を書き換える。
【００４５】
次に、制御部１５６は規制された操作の実行指示を受けたか否かの判別を行う（ステップＳ４９）。ＤＴＶ１はデフォルト又はユーザ操作によって規制対象の操作が設定されている。ここでの所定の操作としては上記のように、例えばＶＯＤ等による有料コンテンツ／視聴規制のされているコンテンツの視聴操作、有料サイト／視聴規制のされているサイトへのサクセス操作等が挙げられる。ここでの有料サイト／視聴規制のされているサイトへのアクセスについては、デフォルトとして設定されている所定サイト、ユーザが登録したサイトへのアクセスを規制するとしてもよい。また、サイト内のテキスト情報等を用いてアクセスの可否を判断するとしても良い。ＶＯＤ等による有料コンテンツ／視聴規制のされているコンテンツの規制については、デフォルトとして設定されている所定コンテンツ、ユーザが登録したコンテンツのダウンロードを規制するとしても良い。また、コンテンツタイトルにおけるテキスト情報等を用いてダウンロードの可否を判断するとしても良い。ここでの規制された操作の実行指示を受けたか否かの判別とは、現在視聴している（認識している）ユーザが所定操作について規制されているか否かの判別、及び指示を受けた操作が前述の操作に当たるか否かの判別を言う。
【００４６】
ステップＳ４９において所定操作の実行指示を受けた場合（ステップＳ４９：Ｙｅｓ）、つまり現在視聴している（認識している）ユーザが所定操作について規制されたユーザであり、指示を受けた操作が規制対象となっている操作である場合、制御部１５６は規制手段としてこの操作の規制を行い、ＤＴＶ１は指示を受けた操作について実行が不可能である旨の通知を行う（ステップＳ４１０）。このとき、制御部１５６が通知手段として、操作を実行不可能である旨の通知についてのＯＳＤ画像を作成し、このＯＳＤ画像の情報をＯＳＤ信号生成部１５４に送信して、ＤＴＶ１はユーザに実行が不可能である旨の通知を行うことができる。
【００４７】
ステップＳ４３において新規ユーザを登録しない場合（ステップＳ４３：Ｎｏ）、ステップＳ４９において所定操作の実行指示を受けつけない場合（ステップＳ４９：Ｎｏ）、またはステップＳ４１０の実行後、一連の処理フローは終了となる。
【００４８】
本実施形態においては、表示する映像を顔認証によって認証したユーザに対応した画質に自動的に切り替えるため、ユーザが毎回手動で画質調整を実行しなくても、視聴しているコンテンツに応じて、ユーザにとって好適な画質にて映像を表示することができる。
【００４９】
また、顔認証によって自動的かつ確実に所定のユーザ操作による処理の実行を規制することができる。
【００５０】
さらに、本実施形態におけるＤＴＶ１は認証したユーザに基づいて、自動的にこのユーザが行ったコンテンツ録画の録画リストを表示できるとしても良い。このとき、ＤＴＶ１はコンテンツの録画時に録画するコンテンツと録画を指示したユーザとを対応付けておき、ユーザが録画リストの表示の指示を行う場合には、現在視聴している（認証されている）ユーザに対応するコンテンツを抜粋した録画リストを作成して表示するとしてもよい。これによって、ユーザは自動的に自身の録画したコンテンツのリストを確認することができるようになる。
【００５１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００５２】
１…ＤＴＶ、３…インターネット、１１０…スピーカ、１２０…表示部、１００…信号処理部、１１６…操作部、１１７…リモートコントローラ、１１８…受光部、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１６０…カメラ、１６４…ＬＡＮ  Ｉ／Ｆ、１６６…ＵＳＢ  Ｉ／Ｆ、１６８…アナログチューナ、１６９…アナログ復調器、３１…ユーザ設定テーブル。
【図１】
2012160918.tif 000003
【図２】
2012160918.tif 000004
【図３】
2012160918.tif 000005
【図４】
2012160918.tif 000006